(57)【要約】【課題】  充電側アークホーンがカバーから露出し、あるいは、充電側アークホーンにカバーがない状態であっても、１対のアークホーン間での他物接触による地絡事故を防止することのできる、ラインポスト碍子を提供すること。【解決手段】  充電側アークホーン５と、接地側アークホーン６とを備えるラインポスト碍子１において、接地側アークホーン６を被覆する接地側カバー８を設ける。これによって、充電側アークホーン５が充電側カバー７から露出し、鳥などが、接地側アークホーン６を被覆する接地側カバー８上に留まって、充電側アークホーン５に接触しても、接地側カバー８によって接地側アークホーン６が絶縁保護されているため、地絡事故が生じることを防止することができる。【選択図】    図１
2005158385.tif 000002
【特許請求の範囲】
【請求項１】
充電側アークホーンと、接地側アークホーンとを備えるラインポスト碍子において、接地側アークホーンを被覆するカバーが設けられていることを特徴とする、ラインポスト碍子。
【請求項２】
前記カバーは、カバー部と、前記カバー部内に設けられ前記接地側アークホーンを支持する支持部とを備え、
前記支持部は、前記接地側アークホーンを、前記カバー部との間に所定間隔が隔てられるような状態で支持することを特徴とする、請求項１に記載のラインポスト碍子。
【請求項３】
前記カバー部には、このカバー部を掴むための掴み部が形成されていることを特徴とする、請求項１または２に記載のラインポスト碍子。
【請求項４】
前記カバー部には、前記カバー部内に生じる圧力を開放するための圧力開放孔が設けられていることを特徴とする、請求項１ないし３のいずれかに記載のラインポスト碍子。
【請求項５】
充電側アークホーンと接地側アークホーンとを備えるラインポスト碍子の、前記接地側アークホーンを被覆することを特徴とする、カバー。
【発明の詳細な説明】
【技術分野】
【０００１】
本発明は、ラインポスト碍子およびカバー、詳しくは、たとえば、線路の電線を引通して固定するために使用されるラインポスト碍子およびそのラインポスト碍子のカバーに関する。
【背景技術】
【０００２】
ラインポスト碍子は、たとえば、線路の電線を引通して固定するために用いられる碍子であって、通常、１対のアークホーン、すなわち、碍子の上端部に設けられる充電側アークホーンと、碍子の下端部に設けられる接地側アークホーンとを備えている。これら充電側アークホーンおよび接地側アークホーンは、互いに対向するように配置され、たとえば、落雷などの事故時において生じる過大な電流を、これらの間で放電させて、対地に逃がすために設けられている（例えば、特許文献１参照。）。
【０００３】
【特許文献１】特開２００２−２１６５６２号公報
【発明の開示】
【発明が解決しようとする課題】
【０００４】
このようなアークホーンにおいて、碍子の上端部に設けられる充電側アークホーンには、通常、ゴム製のカバーが被覆されており、充電側アークホーンが絶縁保護されている。
【０００５】
しかし、このようなカバーは、落雷や長期使用による劣化により損傷して、カバーから充電側アークホーンが露出することがある。そのような状態において、たとえば、鳥などが接地側アークホーンに留まって、充電側アークホーンに接触すると、地絡事故を生じるおそれがある。
【０００６】
本発明の目的とするところは、充電側アークホーンがカバーから露出し、あるいは、充電側アークホーンにカバーがない状態であっても、１対のアークホーン間での他物接触による地絡事故を防止することのできる、ラインポスト碍子を提供することにある。
【課題を解決するための手段】
【０００７】
上記目的を達成するため、請求項１に記載の発明は、ラインポスト碍子であって、充電側アークホーンと、接地側アークホーンとを備えるラインポスト碍子において、接地側アークホーンを被覆するカバーが設けられていることを特徴としている。
【０００８】
このような構成によると、接地側アークホーンには、カバーが設けられているので、たとえ、充電側アークホーンがカバーから露出し、あるいは、充電側アークホーンにカバーがない状態において、鳥などが、接地側アークホーンを被覆するカバー上に留まって、充電側アークホーンに接触しても、カバーによって接地側アークホーンが絶縁保護されているため、地絡事故が生じることを防止することができる。
【０００９】
また、請求項２に記載の発明は、請求項１に記載の発明において、前記カバーは、カバー部と、前記カバー部内に設けられ前記接地側アークホーンを支持する支持部とを備え、前記支持部は、前記接地側アークホーンを、前記カバー部との間に所定間隔が隔てられるような状態で支持することを特徴としている。
【００１０】
このような構成によると、接地側アークホーンは、支持部において、カバー部との間に所定間隔が隔てられるような状態で支持される。そのため、より絶縁性を向上させることができ、地絡事故の発生を有効に防止することができる。
【００１１】
また、請求項３に記載の発明は、請求項１または２に記載の発明において、前記カバー部には、このカバー部を掴むための掴み部が形成されていることを特徴としている。
【００１２】
このような構成によると、カバーを、掴み部を掴んで接地側アークホーンを被覆するように取り付けることができる。そのため、カバーの取付作業の効率化を図ることができる。
【００１３】
また、請求項４に記載の発明は、請求項１ないし３のいずれかに記載の発明において、前記カバー部には、前記カバー部内に生じる圧力を開放するための圧力開放孔が設けられていることを特徴としている。
【００１４】
このような構成によると、落雷時などにおいてカバー部内に圧力が生じても、その圧力を圧力開放孔から開放することができる。そのため、ラインポスト碍子の信頼性を向上させることができる。
【００１５】
また、請求項５に記載の発明は、カバーであって、充電側アークホーンと接地側アークホーンとを備えるラインポスト碍子の、前記接地側アークホーンを被覆することを特徴としている。
【００１６】
このような構成によると、カバーによって、接地側アークホーンを被覆することができるので、たとえ、充電側アークホーンがカバーから露出し、あるいは、充電側アークホーンにカバーがない状態において、鳥などが、接地側アークホーンを被覆するカバー上に留まって、充電側アークホーンに接触しても、カバーによって接地側アークホーンが絶縁保護されているため、地絡事故が生じることを防止することができる。
【発明の効果】
【００１７】
請求項１に記載の発明によれば、カバーによって接地側アークホーンが絶縁保護されているため、地絡事故が生じることを防止することができる。
【００１８】
請求項２に記載の発明によれば、より絶縁性を向上させることができ、地絡事故の発生を有効に防止することができる。
【００１９】
請求項３に記載の発明によれば、カバーの取付作業の効率化を図ることができる。
【００２０】
請求項４に記載の発明によれば、ラインポスト碍子の信頼性を向上させることができる。
【００２１】
請求項５に記載の発明によれば、カバーによって接地側アークホーンが絶縁保護されているため、地絡事故が生じることを防止することができる。
【発明を実施するための最良の形態】
【００２２】
図１は、本発明のラインポスト碍子の一実施形態を示す概略側面図である。
【００２３】
図１において、このラインポスト碍子１は、線路の電線９を引通して固定するために用いる碍子であって、磁器製の碍子２と、その碍子２の上端部に取り付けられる充電側金具３と、その碍子１の下端部に取り付けられる接地側金具４と、充電側金具３に取り付けられる充電側アークホーン５と、接地側金具４に取り付けられる接地側アークホーン６と、充電側アークホーン５を被覆する充電側カバー７と、接地側アークホーン６を被覆する接地側カバー８とを備えている。
【００２４】
碍子２は、長手方向に延びる円柱形状の碍子本体１０と、その碍子本体１０の外周において、長手方向に所定間隔を隔てて複数形成される笠形状の突部１１とを一体的に備えている。
【００２５】
充電側金具３は、碍子１の上端部に取り付けられており、円筒形状をなし、その上面が、電線９を受ける略凹形状の台座部１２として形成されている。また、充電側金具３は、この台座部１２に符合する略断面ハット形状のホルダ部材１３を備えており、その台座部１２において、ホルダ部材１３との間で電線９を受けた状態で、台座部１２から立設するボルト１４にナット１５を締め込むことにより、この台座部１２とホルダ部材１３との間で電線９を挟み込んで、この電線９を、充電側金具３において固定するようにしている。
【００２６】
また、この充電側金具３の側面には、充電側アークホーン５を取り付けるための矩形板形状の上側取付部１６が、径方向外方に向けて突出形成されている。
【００２７】
充電側アークホーン５は、略丸棒状をなし、この上側取付部１６に、その先端が後述する接地側アークホーン６の先端と対向するように下向きに延びる状態で、その基端がボルト１７およびナット（図示せず。）を介して取り付けられている。
【００２８】
接地側金具４は、碍子１の下端部に取り付けられており、円筒形状をなし、その下面からは、電柱などの支持構造物に設けられるアーム１８に固定するための軸部１９が、下方に向けて突出形成されている。軸部１９の先端には、ねじ山が形成されており、この軸部１９をアーム１８に挿入した状態で、ねじ山にナット２０を螺着させることにより、接地側金具４を、アーム１８に固定するようにしている。
【００２９】
また、この接地側金具４の側面には、接地側アークホーン６を取り付けるための矩形板形状の下側取付部２１が、径方向外方に向けて突出形成されている。
【００３０】
接地側アークホーン６は、略丸棒状をなし、この下側取付部２１に、その先端が充電側アークホーン５の先端と対向するように上向きに傾斜して延びる状態で、その基端がボルト２２およびナット（図示せず。）を介して取り付けられている。
【００３１】
充電側カバー７は、可撓性のゴムからなり、充電側アークホーン５を、その充電側アークホーン５の長手方向全体にわたって被覆できるチューブ形状に形成されている。そして、この充電側カバー７は、充電側アークホーン５を、その充電側アークホーン５の長手方向全体にわたって被覆するように、充電側アークホーン５に外挿されている。
【００３２】
図２は、接地側カバー８の斜視図、図３は、その正面図、図４は、その背面図、図５は、その平面図、図６は、その底面図、図７は、その左側面図、図８は、その側断面図、図９は、その内側展開図、図１０は、その外側展開図を示す。
【００３３】
次に、これら図２ないし図１０を参照して、接地側カバー８について詳細に説明する。
【００３４】
この接地側カバー８は、絶縁性のプラスチックからなり、図９および図１０に示すように、カバー部としての２つのサイドカバー部２３および２４が、連結部２５を介して連結されている。接地側カバー８は、これら２つのサイドカバー部２３および２４を、連結部２５の反対側において嵌合させることにより、図２に示すように、後方が開放されるボックス状に組み付けられる。
【００３５】
２つのサイドカバー部２３および２４は、ぞれぞれ、正面視略矩形状であって、側壁２６、前壁２７、上壁２８および下壁２９が連続して一体的に形成されている。
【００３６】
側壁２６の内側面には、図９に示すように、接地側アークホーン５を支持する支持部３０を備えている。
【００３７】
支持部３０は、サイドカバー部２３および２４の前後方向途中において、上壁２８と下壁２９との間において、上下方向にわたって設けられる第１縦壁３１と、第１縦壁３１の前方に設けられ、下壁２９から上壁２８に向かって上下方向に延びる第２縦壁３２と、第２縦壁３２の前方に設けられ、下壁２９から上壁２８に向かって上下方向に延びる第３縦壁３３とを備えている。
【００３８】
各第１縦壁３１には、その上下方向中央において、接地側アークホーン６を挟持するための略半円形状の第１支持溝３４が形成されている。これら第１縦壁３１は、接地側カバー８の組み付け状態においては、互いに接触状に対向して、第１支持溝３４が重ね合わされた部分のみに、略円形状の孔５７（図１参照）が形成される。
【００３９】
各第２縦壁３２には、その上下方向中央において、接地側アークホーン６を挟持するための略半円形状の第２支持溝３８が形成されている。これら第２縦壁３２は、接地側カバー８の組み付け状態においては、互いに接触状に対向して、第２支持溝３８が重ね合わされた部分に、略円形状の孔３９（図８参照）が形成される。
【００４０】
また、各第２縦壁３２には、第２支持溝３８を挟む上下部分から、各第１縦壁３１に向かって前後方向に延びる上横壁３５および下横壁３６が形成されている。上横壁３５および下横壁３６は、接地側アークホーン６を挟持可能な間隔を隔てて上下方向において互いに対向するように設けられている。また、各上横壁３５および各下横壁３６は、接地側カバー８の組み付け状態においては、上横壁３５同士および各下横壁３６同士が互いに接触状に対向する。
【００４１】
また、各第２縦壁３２における上横壁３５および下横壁３６の間であって、第２支持溝３８の最深部分からは、各第１縦壁３１に向かって前後方向に延びる側横壁３７が形成されている。各側横壁３７は、上横壁３５および下横壁３６と所定間隔を隔てて上下方向において互いに対向するように設けられている。各側横壁３７は、接地側カバー８の組み付け状態においては、充電側アークホーン５を挟持可能な間隔を隔てて互いに対向する。
【００４２】
各第３縦壁３３は、その上下方向中央において、接地側アークホーン５を位置ぎめするための凹溝４０が形成されている。これら第３縦壁３３は、接地側カバー８の組み付け状態においては、互いに接触状に対向して、第３縦壁３３が重ね合わされた部分には、略句形状の孔４１（図８参照）が形成される。
【００４３】
また、各側壁２６の外側面には、図５に示すように、前側膨出部４５、掴み部４６および後側膨出部４７が形成されている。
【００４４】
各前側膨出部４５は、各側壁２６の外側面の前側において対向状に設けられ、外側に向かって膨出する側面視略矩形状に形成されている（図３および図４参照）。
【００４５】
各掴み部４６は、各側壁２６の外側面における前側膨出部４５の後側において対向状に設けられ、前側膨出部４５から内側に窪む平坦状に形成されている。この掴み部４６の両側の幅は、掴みジグ５６で掴める幅として形成されている。
【００４６】
後側膨出部４７は、一方のサイドカバー部２３の側壁２６の外側面には形成されておらず、他方のサイドカバー部２４の側壁２６の外側面にのみに形成されている。この後側膨出部４７は、掴み部４６の後側において、外側に向かって円弧状に膨出する側面視菱形形状に形成されている（図４参照）。なお、一方のサイドカバー部２３の側壁２６の外側面であって、後側膨出部４７と対向する部分には、掴み部４６から内側に向かって平坦状に窪む平坦部５２が形成されている。
【００４７】
この平坦部５２の後側下部には、図３に示すように、略三角形状の切り取り部分５３が設けられている。切り取り部分５３は、平坦部５２との境界において、切り取りを容易とするための切り取り溝５４が形成されている。
【００４８】
各前壁２７には、図９に示すように、その上下方向中央において、略半円形状の圧力開放溝４２が形成されている。これら前壁２７は、接地側カバー８の組み付け状態においては、図７に示すように、互いに接触状に対向して、圧力開放溝４２が重ね合わされた部分に、落雷時などにおいてサイドカバー２３および２４内に生じる圧力を開放するための略円形状の圧力開放孔４３が形成される。
【００４９】
各上壁２９は、図９および図１０に示すように、連結部２５によって連結されている。
【００５０】
連結部２５は、略矩形平板状に形成され、互いに対向する各上壁２９を、前後方向において連結するように設けられている。この連結部２５における前側には、充電側アークホーン５の先端が対向する略円形状の放電用孔４４が形成されている。
【００５１】
各下壁２９において、一方のサイドカバー部２３には、嵌合受け部４８が形成されており、他方のサイドカバー部２４には、嵌合突部４９が形成されている。
【００５２】
嵌合受け部４８は、一方のサイドカバー部２３の下壁２９において、前後方向において互いに所定間隔を隔てて（前側が前側膨出部４５に対応する下壁２９の部分、後側が掴む部４６に対応する下壁２９の部分）に２つ設けられている。この嵌合受け部４８は、側面視矩形板状をなし、次に述べる嵌合突部４９の突起５１を受け入れて係止させるための係止孔５０が形成されている。
【００５３】
嵌合突部４９は、他方のサイドカバー部２４の下壁２９において、嵌合受け部４８と対向するように、前後方向において互いに所定間隔を隔てて２つ設けられている。この嵌合突部４９は、側面視矩形板状をなし、係止孔５０に挿入して係止される鉤状の突起５１が形成されている。
【００５４】
また、各下壁２９において、後側膨出部４７および平坦部５２が設けられている部分に対応する部分には、図６に示すように、接地側アークホーン６の挿入を容易するための開口部５５が形成されている。この開口部５５は、一方のサイドカバー部２３の下壁２９における平坦部５２と対向する部分を、略矩形状に少し切り欠き、また、他方のサイドカバー部２４の下壁２９における後側膨出部４７と対向する部分を、略矩形状に大きく切り欠くことにより、後端が開放される略矩形状に形成されている。
【００５５】
そして、この接地側カバー８は、たとえば、次にようにして接地側アークホーン６に取り付けられる。すなわち、この取り付けにおいては、図９および図１０に示す状態から、まず、一方のサイドカバー部２３と他方のサイドカバー部２４とが対向するように、連結部２５を境として折り曲げて（図２および図５参照）、前側の嵌合突部４８の突起５１を、前側の嵌合受け部４８の係止孔５０に挿入して係止させる。
【００５６】
次いで、掴み部４６を掴みジグ５６（図２参照）で挟み、接地側アークホーン６の先端に、接地側カバー８の開口部５５から外挿し、接地側アークホーン６を、各第１縦壁３１の第１支持溝３４により形成される孔５７（図１参照）、および、各第２縦壁３２の第２支持溝３８により形成される孔３９（図８参照）に、上横壁３５、下横壁３６および側横壁３７によって案内しつつ、その先端が、各第３縦壁３３の凹溝４０により形成される孔４１（図８参照）に当接するまで挿入する。その後、掴みジグ５６で掴み部４６を強く挟持することにより、後側の嵌合突部４８の突起５１を、後側の嵌合受け部４８の係止孔５０に挿入して係止させる。なお、この状態で、放電用孔４４は、充電側アークホーン５の先端と対向するように配置される。
【００５７】
これによって、図１に示すように、接地側カバー８が、接地側アークホーン６を被覆する状態で組み付けられる。
【００５８】
このような接地側カバー８によれば、たとえば、充電側アークホーン５を絶縁保護する充電側カバー７が落雷や長期使用による劣化により損傷して、その充電側カバー７から充電側アークホーン５が露出し、そのような状態において、たとえば、図１の仮想線で示すように、鳥などが接地側アークホーン６を絶縁保護する接地側カバー８の上に留まって、充電側カバー７から露出した充電側アークホーン５に接触しても、接地側カバー８によって鳥と接地側アークホーン６との間が絶縁されているので、地絡事故が生じることを防止することができる。
【００５９】
とりわけ、この接地側カバー８では、接地側アークホーン６が、支持部３０において、サイドカバー部２３および２４の側壁２６、前壁２７、上壁２８および下壁２９のいずれとも、空間ギャップが保持される状態で支持されるので、より絶縁性を向上させることができ、地絡事故の発生を有効に防止することができる。
【００６０】
また、この接地側カバー８では、掴み部４６を掴みジグ５６で掴んで、接地側アークホーン６を被覆するように取り付けることができる。そのため、接地側カバー８の取付作業の効率化を図ることができる。つまり、このような取り付けであれば、従来の間接活線工法により容易に取り付けることができる。また、この接地側カバー８は、取り外して再利用することも可能である。
【００６１】
さらに、この接地側カバー８では、落雷時などにおいて接地側カバー８内に圧力が生じても、その圧力を圧力開放孔４３から開放することができる。そのため、ラインポスト碍子１の信頼性を向上させることができる。
【００６２】
また、この接地側カバー８では、下壁２９の後側に形成された開口部５５から、接地側アークホーン６を容易に挿入することができるので、さらなる作業効率の向上を図ることができる。また、このようにして取り付ければ、接地側アークホーン６のみならず、下側取付部２１をも被覆して、絶縁保護することができる。
【００６３】
さらに、この接地側カバー８では、碍子２の種類や突部１１の枚数などに応じて、必要により、切り取り溝５４に沿って切り取り部分５３を切り取って、取り付けることができるので、さらなる取り付け作業の効率化を図ることができる。より具体的には、このラインポスト碍子１では、突部１１が７枚であれば切り取り不要であるが、６枚であれば切り取る必要を生じる。
【００６４】
なお、上記の説明では、充電側アークホーン５に充電側カバー７を設けたが、その目的および用途によっては、充電側カバー７を設けなくてもよい。
【００６５】
また、上記の説明では、磁器製の碍子２を例示したが、ポリマー製の碍子であってもよい。
【図面の簡単な説明】
【００６６】
【図１】本発明のラインポスト碍子の一実施形態を示す概略側面図である。
【図２】接地側カバーの斜視図である。
【図３】図２に示す接地側カバーの正面図である。
【図４】図２に示す接地側カバーの背面図である。
【図５】図２に示す接地側カバーの平面図である。
【図６】図２に示す接地側カバーの底面図である。
【図７】図２に示す接地側カバーの左側面図である。
【図８】図２に示す接地側カバーの側断面図である。
【図９】図２に示す接地側カバーの内側展開図である。
【図１０】図２に示す接地側カバーの外側展開図である。
【符号の説明】
【００６７】
１    ラインポスト碍子
５    充電側アークホーン
６    接地側アークホーン
８    接地側カバー
２３  サイドカバー部
２４  サイドカバー部
３０    支持部
４６    掴み部
４３    圧力開放孔
【図１】
2005158385.tif 000003
【図２】
2005158385.tif 000004
【図３】
2005158385.tif 000005
【図４】
2005158385.tif 000006
【図５】
2005158385.tif 000007
【図６】
2005158385.tif 000008
【図７】
2005158385.tif 000009
【図８】
2005158385.tif 000010
【図９】
2005158385.tif 000011
【図１０】
2005158385.tif 000012